(57)【要約】【課題】嵩張らず、材料費が低廉で済むタップコンセント装置を提供すること。【解決手段】第１挿入孔１４、第２挿入孔１５及び第３挿入孔１６を有するケース１に、第１導電片３と第２導電片４を平行に収納し、第１導電片３の中間部に第１開口部３１１及び第２開口部３２１を有する第１差込部３１及び第２差込部３２を第２導電片４へ向けて設け、第１導電片３の先端に第３開口部３３１を有する第３差込部３３を設け、第２導電片４の中間部に第５開口部４１１及び第６開口部４２１を有する第５差込部４１及び第６差込部４２を第１導電片３へ向けて設け、第２導電片４の先端に第７開口部４３１を有する第７差込部４３を設け、第１開口部３１１と第５開口部４１１を第１挿入孔１４の奥に、第２開口部３２１と第６開口部４２１を第２挿入孔１５の奥に、第３開口部３３１と第７開口部４３１を第３挿入孔１６の奥に配置する。【選択図】図１
0003137411.tif 000002
【実用新案登録請求の範囲】
【請求項１】
ケースと、該ケースから外方へ突出した第１プラグ刃部及び第２プラグ刃部を有する導電プラグユニットと、前記ケース内に平行に収納された第１導電片及び第２導電片とを備え、これら第１導電片及び第２導電片をそれぞれ前記第１プラグ刃部及び第２プラグ刃部にそれぞれ接続し、前記ケースの外周面に、それぞれ二つ一組の第１挿入孔、第２挿入孔及び第３挿入孔を形成し、前記第１導電片の中間部に、前記第２導電片へ向けて第１差込部及び第２差込部を設けると共に、該第１差込部及び第２差込部に、互いに逆向きに開口した第１開口部及び第２開口部をそれぞれ形成し、前記第１導電片の先端に第３差込部を設けると共に、該第３差込部に第３開口部を形成し、前記第２導電片の中間部に、前記第１導電片へ向けて第５差込部及び第６差込部を設け、前記第５差込部に前記第１開口部と同方向へ開口した第５開口部を形成すると共に、前記第６差込部に前記第２開口部と同方向へ開口した第６開口部を形成し、前記第２導電片の先端に第７差込部を設けると共に、該第７差込部に第３開口部と同方向へ開口した第７開口部を形成し、前記第１開口部及び第５開口部を前記第１挿入孔の奥に配置し、前記第２開口部及び第６開口部を前記第２挿入孔の奥に配置し、前記第３開口部及び第７開口部を前記第３挿入孔の奥に配置したことを特徴とするタップコンセント装置。
【請求項２】
前記ケースは二つの殻体を組み合わせて成る請求項１に記載のタップコンセント装置。
【請求項３】
前記ケースの外周面に二つ一組の第４挿入孔を形成し、前記第１導電片の先端に第４差込部を設けると共に、該第４差込部に第４開口部を形成し、前記第２導電片の先端に第８差込部を設けると共に、該第８差込部に前記第４開口部と同方向へ開口した第８開口部を形成し、前記第４開口部及び第８開口部を前記第４挿入孔の奥に配置した請求項１又は２に記載のタップコンセント装置。
【請求項４】
前記第３差込部と第４差込部が連続して折り曲げて形成され、前記第３開口部と第４開口部とが互いに９０°の角度で開口している請求項３に記載のタップコンセント装置。
【請求項５】
前記第７差込部と第８差込部が連続して折り曲げて形成され、前記第７開口部と第８開口部とが互いに９０°の角度で開口している請求項３又は４に記載のタップコンセント装置。
【請求項６】
前記第１差込部と第２差込部とが連続して折り曲げて形成されている請求項１〜５のいずれかに記載のタップコンセント装置。
【請求項７】
前記第５差込部と第６差込部とが連続して折り曲げて形成されている請求項１〜６のいずれかに記載のタップコンセント装置。
【考案の詳細な説明】
【技術分野】
【０００１】
本考案は、複数組の挿入孔を有するタップコンセント装置に関する。
【背景技術】
【０００２】
従来、複数組の挿入孔を有し、複数の電気機器に電力を供給できるタップコンセント装置が知られている。  
例えば、特許文献１に記載のタップコンセント装置は、図４に示すように、コンセントＡの外殻に３組の挿入孔Ａ１を形成し、コンセントＡ内に第１導電片Ｂ及び第２導電片Ｃを設けて成る。  
第１導電片Ｂ及び第２導電片Ｃには、それぞれコンセントＡの外側に向って延伸された第１差込部Ｂ１、第２差込部Ｂ２及び第３差込部Ｂ３と、第４差込部Ｃ１、第５差込部Ｃ２及び第６差込部Ｃ３とを設けてある。また、第１差込部Ｂ１と第４差込部Ｃ１、第２差込部Ｂ２と第５差込部Ｃ２、第３差込部Ｂ３と第６差込部Ｃ３が互いに対となり、それぞれ二つ一組の挿入孔Ａ１の奥に設置されている。
【０００３】
第１導電片Ｂ及び第２導電片Ｃには、それぞれプラグ刃部Ｂ４，Ｃ４が接続され、これらプラグ刃部Ｂ４，Ｃ４を電源コンセントへ挿入することにより、挿入孔Ａ１にプラグを差し込んだ複数の電気機器へ給電するようになっている。  
しかし、このような従来のタップコンセント装置は、少数の電源コンセントから多数の電気機器へ給電できるという利点があるものの、大型化して嵩張り、材料費も高くつくという欠点がある。
【０００４】
【特許文献１】台湾実用新案公告第３９９７９０号公報
【考案の開示】
【考案が解決しようとする課題】
【０００５】
本考案が解決しようとする課題は、嵩張らず、材料費が低廉で済むタップコンセント装置を提供することにある。
【課題を解決するための手段】
【０００６】
本考案のタップコンセント装置は、ケースと、該ケースから外方へ突出した第１プラグ刃部及び第２プラグ刃部を有する導電プラグユニットと、前記ケース内に平行に収納された第１導電片及び第２導電片とを備え、これら第１導電片及び第２導電片をそれぞれ前記第１プラグ刃部及び第２プラグ刃部に接続し、前記ケースの外周面に、それぞれ二つ一組の第１挿入孔、第２挿入孔及び第３挿入孔を形成し、前記第１導電片の中間部に、前記第２導電片へ向けて第１差込部及び第２差込部を設けると共に、該第１差込部及び第２差込部に、互いに逆向きに開口した第１開口部及び第２開口部をそれぞれ形成し、前記第１導電片の先端に第３差込部を設けると共に、該第３差込部に第３開口部を形成し、前記第２導電片の中間部に、前記第１導電片へ向けて第５差込部及び第６差込部を設け、前記第５差込部に前記第１開口部と同方向へ開口した第５開口部を形成すると共に、前記第６差込部に前記第２開口部と同方向へ開口した第６開口部を形成し、前記第２導電片の先端に第７差込部を設けると共に、該第７差込部に第３開口部と同方向へ開口した第７開口部を形成し、前記第１開口部及び第５開口部を前記第１挿入孔の奥に配置し、前記第２開口部及び第６開口部を前記第２挿入孔の奥に配置し、前記第３開口部及び第７開口部を前記第３挿入孔の奥に配置する。
【０００７】
以下の構成を採用しても良い。  
前記ケースは二つの殻体を組み合わせて成る構成。  
前記ケースの外周面に二つ一組の第４挿入孔を形成し、前記第１導電片の先端に第４差込部を設けると共に、該第４差込部に第４開口部を形成し、前記第２導電片の先端に第８差込部を設けると共に、該第８差込部に前記第４開口部と同方向へ開口した第８開口部を形成し、前記第４開口部及び第８開口部を前記第４挿入孔の奥に配置した構成。
【０００８】
前記第３差込部と第４差込部が連続して折り曲げて形成され、前記第３開口部と第４開口部とが互いに９０°の角度で開口した構成。  
前記第７差込部と第８差込部が連続して折り曲げて形成され、前記第７開口部と第８開口部とが互いに９０°の角度で開口した構成。  
前記第１差込部と第２差込部とを連続して折り曲げて形成した構成。  
前記第５差込部と第６差込部とを連続して折り曲げて形成した構成。
【考案の効果】
【０００９】
本考案によれば、第１導電片と第２導電片との間に差込部が設置されるので、ケース内のスペースを狭くすることができ、この結果、全体が小型化して嵩張らず、しかも、必要とする材料も少なくて済むため、製造コストを削減できる。
【考案を実施するための最良の形態】
【００１０】
以下、本考案の実施例を図面に基づいて詳細に説明する。  
図１及び図２に示すように、本考案のタップコンセント装置は、ケース１、導電プラグユニット２、第１導電片３及び第２導電片４を有する。  
ケース１は、二つの殻体１１，１２を組み立てて成り、その内部には複数の収容部１３が設けられる。また、収容部１３と対応した位置において、ケース１の外周面にはそれぞれ二つ一組の第１挿入孔１４、第２挿入孔１５、第３挿入孔１６及び第４挿入孔１７が形成されている。
【００１１】
導電プラグユニット２は、ケース１の一端部に取り付けられ、その両側からケース１の外方へ向けて、それぞれ第１プラグ刃部２１及び第２プラグ刃部２２が突出している。
例えば、１００−１１０Ｖの給電国など単相２線式の地域では、第１プラグ刃部２１が電圧線の接続に供され、第２プラグ刃部２２が中性線の接続に供される。また、２２０Ｖの給電国など単相３線式の地域では、第１プラグ刃部２１が電圧線の接続に供され、第２プラグ刃部２２がもう一本の電圧線の接続に供され、第３のプラグ刃部（本実施例では省略する）が中性線の接続に供される。
【００１２】
第１導電片３及び第２導電片４は、ケース１の内部に互いに平行に収納され、第１導電片３の基端が第１プラグ刃部２１に接続されると共に、第２導電片４の基端が第２プラグ刃部２２に接続される。  
第１導電片３の中間部には、連続して略Ｓ字状に折り曲げた第１差込部３１及び第２差込部３２を設ける。第１差込部３１及び第２差込部３２は、第１導電片３の長手方向と直行するよう第２導電片４に向けて形成される。また、第１差込部３１及び第２差込部３２は、互いに逆向きに開口した第１開口部３１１及び第２開口部３２１をそれぞれ有する。
【００１３】
第１導電片３の先端には、第１導電片３の長手方向に沿うよう連続して略Ｓ字状に折り曲げた第３差込部３３及び第４差込部３４を設ける。第３差込部３３及び第４差込部３４は、互いに９０°の角度をなすよう開口し、第１開口部３１１及び第２開口部３２１に対しても直行する方向に開口した第３開口部３３１及び第４開口部３４１を有する。  
そして、第１差込部３１、第２差込部３２、第３差込部３３及び第４差込部３４をケース１の収容部１３内に収容し、第１開口部３１１、第２開口部３２１、第３開口部３３１及び第４開口部３４１をそれぞれ第１挿入孔１４、第２挿入孔１５、第３挿入孔１６及び第４挿入孔１７の一方の奥に配置する。
【００１４】
第２導電片４の中間部には、連続して略Ｓ字状に折り曲げた第５差込部４１及び第６差込部４２を設ける。第５差込部４１及び第６差込部４２は、第２導電片４の長手方向と直行するよう第１導電片３に向けて形成される。また、第５差込部４１及び第６差込部４２は、互いに逆向きに開口した第５開口部４１１及び第６開口部４２１をそれぞれ有する。
さらに、第２導電片４の第５開口部４１１及び第６開口部４２１は、それぞれ第１導電片３の第１開口部３１１及び第２開口部３２１と同じ方向に開口している。
【００１５】
第２導電片４の先端には、第２導電片４の長手方向に沿うよう連続して略Ｓ字状に折り曲げた第７差込部４３及び第８差込部４４を設ける。第７差込部４３及び第８差込部４４には、それぞれ第１導電片３の第３開口部３３１及び第４開口部３４１と同じ方向に開口する第７開口部４３１及び第８開口部４４１が形成される。  
また、第５差込部４１、第６差込部４２、第７差込部４３及び第８差込部４４はケース１の収容部１３内に収容され、第５開口部４１１、第６開口部４２１、第７開口部４３１及び第８開口部４４１はそれぞれ第１挿入孔１４、第２挿入孔１５、第３挿入孔１６及び第４挿入孔１７の他方の奥に配置する。  
即ち、第１開口部３１１及び第５開口部４１１は対になって第１挿入孔１４に対応し、第２開口部３２１及び第６開口部は対になって第２挿入孔１５に対応し、第３開口部３３１及び第７開口部４３１は対になって第３挿入孔１６に対応し、第４開口部３４１及び第８開口部４４１は対になって第４挿入孔１７に対応している。
【００１６】
タップコンセント装置を組み立てるには、図２及び図３に示すように、予め組み立ててある導電プラグユニット２を殻体１２に取り付ける。導電プラグユニット２は、プラグ刃部２１，２２の角度を変えられるよう回動可能に取り付けも良いし、動かないよう固定しても良い。  
その後、第１導電片３及び第２導電片４を、溶接、リベッティング等により第１プラグ刃部２１及び第２プラグ刃部２２に接続する。
【００１７】
さらに、第１差込部３１、第２差込部３２、第３差込部３３，第４差込部３４、第５差込部４１、第６差込部４２、第７差込部４３及び第８差込部４４をケース１の収容部１３に収容する。そして、第１開口部３１１と第５開口部４１１を第１挿入孔１４の奥に配置し、第２開口部３２１と第６開口部を第２挿入孔１５の奥に配置し、第３開口部３３１と第７開口部４３１を第３挿入孔１６の奥に配置し、第４開口部３４１と第８開口部４４１を第４挿入孔１７の奥に配置する。  
最後に、二つの殻体１１，１２を組み立てて固定する。
【図面の簡単な説明】
【００１８】
【図１】本考案の実施例を示すタップコンセント装置の分解斜視図。
【図２】本考案の実施例を示すタップコンセント装置の斜視図。
【図３】本考案の実施例を示すタップコンセント装置の断面図。
【図４】従来のタップコンセント装置の断面図。
【符号の説明】
【００１９】
１  ケース
１１，１２  殻体
１３  収容部
１４  第１挿入孔
１５  第２挿入孔
１６  第３挿入孔
１７  第４挿入孔
２  導電プラグユニット
２１  第１プラグ刃部
２２  第２プラグ刃部
３  第１導電片
３１  第１差込部
３１１  第１開口部
３２  第２差込部
３２１  第２開口部
３３  第３差込部
３３１  第３開口部
３４  第４差込部
３４１  第４開口部
４  第２導電片
４１  第５差込部
４１１  第５開口部
４２  第６差込部
４２１  第６開口部
４３  第７差込部
４３１  第７開口部
４４  第８差込部
４４１  第８開口部
【図１】
0003137411.tif 000003
【図２】
0003137411.tif 000004
【図３】
0003137411.tif 000005
【図４】
0003137411.tif 000006